(57)【要約】      （修正有）【課題】半田と半田ドロスを電動式の振動フルイによってフルイ分けを行う半田回収機を提供する。【解決手段】本半田回収機は、４本の脚を備えた矩形の機枠１と、該機枠１の上段に設置した開閉蓋２を備えた角錐漏斗状の供給ホッパー３と、該供給ホッパー３の下方で機枠１の中段に振動フルイ４を設け、さらに振動フルイ４の下方で機枠１の下段に角錐漏斗状の排出ホッパー５を設けたものである。上段の供給ホッパー３から中段の振動フルイ４へ半田と半田ドロスの混合物を供給し、振動フルイ４の左右移動によりメッシュから半田ドロスが下段の排出ホッパー５へ落下し、半田はそのまま円筒状容器に残る。落下した半田ドロスは、排出ホッパー５の下方に配置したポリタンク等に回収される。【選択図】図１
0003169491.tif 000002
【実用新案登録請求の範囲】
【請求項１】
４本の脚を備えた矩形の機枠と、該機枠の上段に設置した開閉蓋を備えた角錐漏斗状の供給ホッパーと、該供給ホッパーの下方で前記機枠の中段に振動フルイを設け、さらに前記振動フルイの下方で前記機枠の下段に角錐漏斗状の排出ホッパーを設けたことを特徴とする半田回収機。
【請求項２】
前記振動フルイは、電動モータとカム、タイヤ構造を備え、レールの上を左右移動することでフルイを行うことを特徴とする請求項１記載の半田回収機。
【考案の詳細な説明】
【技術分野】
【０００１】
本考案は、半田と半田ドロスを電動式の振動フルイによってフルイ分けを行う半田回収機に関するものである。
【背景技術】
【０００２】
従来、電子回路基板の部品実装を行う際の方法の一つに自動半田付け装置を使うものがある。
これは、自動半田付け装置でドロドロに溶けた半田の上を電子部品を搭載した基板が流れ、半田付けされる。
半田付け過程でどんどん半田を足しながら生産を行うが、その際、半田ドロスというカス（粉）が出てくる。この半田ドロスは、溶けた半田が空気と触れて酸化したものである。
半田ドロスは溶けた半田の上に浮いていて、これを人手で掬って取り除く、その際に、まだ使える半田も一緒に掬ってしまい、冷えると半田の塊と半田ドロスが混在する。
ある程度溜まったら、再度加熱して液状になった半田は取り除き、半田ドロスの割合を高くするが、最終的にはまだ半田ドロスと半田の混在が残る。それをまた、人手によりフルイで分けている。
【０００３】
そのため、半田付け装置で発生する半田ドロスから半田を再生するための半田ドロス再生装置及びこれを備えた半田付け装置が知られている（特許文献１を参照）。
この公知技術は、筺体の内部中央部に配設した円筒形の溶融槽を中心に構成されていて、その溶融槽の周面にバンドヒータが、底面にストリップヒータが装着され、下方にはドレインコックが設けられており、また、内部下方に温度センサとメッシュ籠が装着されている半田ドロス再生装置である。
溶融槽に半田ドロスを収容し終えると、バンドヒータ及びストリップヒータに通電して加熱し、半田ドロスが完全に溶融したら、ドレインコックを開け、半田をトレーなどに回収する。一方溶融槽の底部には酸化粉（半田ドロス）が残留し、この酸化粉はメッシュ籠を引き上げることで取り出すことができる。
【０００４】
また、ドロス塊からの半田の回収率を向上させたはんだ回収方法及びはんだ回収装置が知られている（特許文献２を参照）。
この公知技術は、加熱炉の下方に、電動篩い器を配設し、この電動篩い器は、上部に第１及び第２の篩い手段として機能する所定孔径のメッシュを張設した篩いを設置し、冷却手段としての下部容器を有し、この下部容器に冷却液として水を貯留してある。
加熱炉の下部から排出した溶融状態のはんだ及び灰状のドロスを電動篩い器の篩いに供給し、篩いによって下部容器の水の中へはんだを滴状又は線状にして篩い落とす。他方、灰状のドロスは、篩いによってさらさらの状態のまま篩い落とされる。滴状又は線状のはんだ及び灰状のドロスは、下部容器内の水によって瞬時に冷却されて固化する。これにより下部容器内に、はんだを含まない粉状のドロスと、粉状のドロスよりも大きな滴状又は線状のはんだが貯まる。滴状又は線状のはんだ及び粉状のドロスを下部容器から取り出して、再度、電動篩い器の篩いに掛けると、篩いに滴状又は線状のはんだが残り、粉状のドロスは篩い落とされる。
【先行技術文献】
【特許文献】
【０００５】
【特許文献１】特開２０００−１９２１５８号公報
【特許文献２】特開２００５−１０５３１２号公報
【考案の概要】
【考案が解決しようとする課題】
【０００６】
本考案は、半田と半田ドロスを電動式の振動フルイによってフルイ分けを行う半田回収機を提供することを目的とする。
【課題を解決するための手段】
【０００７】
本考案の半田回収機は、４本の脚を備えた矩形の機枠と、該機枠の上段に設置した開閉蓋を備えた角錐漏斗状の供給ホッパーと、該供給ホッパーの下方で前記機枠の中段に振動フルイを設け、さらに前記振動フルイの下方で前記機枠の下段に角錐漏斗状の排出ホッパーを設けたものである。
前記振動フルイは、電動モータとカム、タイヤ構造を備え、レールの上を左右移動することでフルイを行うものである。
【考案の効果】
【０００８】
本考案の半田回収機は、４本の脚を備えた矩形の機枠と、該機枠の上段に設置した開閉蓋を備えた角錐漏斗状の供給ホッパーと、該供給ホッパーの下方で前記機枠の中段に振動フルイを設け、さらに前記振動フルイの下方で前記機枠の下段に角錐漏斗状の排出ホッパーを設けたため、半田ドロスはきめ細かい粉状で集約しにくいが、ポリタンク等の回収容器に簡単に集めることができる。
【図面の簡単な説明】
【０００９】
【図１】本考案の半田回収機の正面図である。
【図２】本考案の半田回収機の供給ホッパーの（ａ）平面図及び（ｂ）正面図である。
【図３】本考案の半田回収機の振動フルイの（ａ）平面図及び（ｂ）正面図である。
【図４】本考案の半田回収機の振動フルイの詳細な（ａ）平面図及び（ｂ）正面図である。
【図５】本考案の半田回収機の排出ホッパーの（ａ）平面図及び（ｂ）正面図である。
【考案を実施するための形態】
【００１０】
本考案の半田回収機の一実施例を添付図面に基づいて、以下に説明する。
図１の正面図に示すように、本考案の半田回収機は、４本の脚を備えた矩形の機枠１と、該機枠１の上段に設置した開閉蓋２を備えた角錐漏斗状の供給ホッパー３と、該供給ホッパー３の下方で前記機枠１の中段に振動フルイ４を設け、さらに前記振動フルイ４の下方で前記機枠１の下段に角錐漏斗状の排出ホッパー５を設けたものである。
【００１１】
前記供給ホッパー３は、機枠１の上段に設置され、図２の（ａ）平面図及び（ｂ）正面図に示すように、矩形の角錐漏斗状の開口部に片開きの開閉蓋２を備えて形成される。半田と半田ドロスの混合物を入れてスライド式の仕切り６を引く（又は横にずらす）ことにより、中段の振動フルイ４に混合物を落下させることができる。
【００１２】
前記振動フルイ４は、機枠１の中段に設置され、図３の（ａ）平面図及び（ｂ）正面図に示すように、矩形の箱体７に形成され、上部に前記供給ホッパー３からの混合物を受け入れる入口８を設けている。図４の詳細な（ａ）平面図及び（ｂ）正面図に示すように、底部にメッシュ（図示せず）を設けた円筒状容器９の下部にタイヤ構造１０を設けてレール１１に沿って左右移動自在とし、前記機枠１に電動モータ１２を設け、電動モータ１２の回転を偏心カム１３を介して連結杆１４に伝えて、該連結杆１４を固定した前記円筒状容器９を左右移動させる。
半田はそのまま前記振動フルイ４に残り、半田ドロスは漏斗を１５介して下段へ振るい落とされる。
なお、半田ドロスは振動フルイ４を細かく動かすと空気中に漂うため、入口８又は円筒状容器９の開口部を透明なアクリルカバーで覆うと良い。
【００１３】
前記排出ホッパー５は、機枠１の下段に設置され、図５の（ａ）平面図及び（ｂ）正面図に示すように、矩形の角錐漏斗状に形成される。半田ドロスは、角錐漏斗状に形成された排出ホッパー５を落下し、前記排出ホッパー５の下方に配置したポリタンク等（図示せず）に回収される。
【００１４】
次に、本考案の半田回収機の操作動作を添付図面に基づいて、以下に説明する。
図１に示すように、機枠１の最上部に位置する開閉蓋２を開けて半田と半田ドロスの混合物を角錐漏斗状の供給ホッパー３に供給して前記開閉蓋２を閉じ、スライド式の仕切りを開放することにより一定量の前記混合物を中段の振動フルイ４へ供給する。
図４に示す電動モータ１２を駆動して偏心カム１３、連結杆１４を介してタイヤ構造１０の円筒状容器９をレール１１に沿って左右移動させる。
この左右移動により前記振動フルイ４のメッシュ（図示せず）から半田ドロスが漏斗１５へ落下し、半田はそのまま円筒状容器９に残る。
落下した半田ドロスは、角錐漏斗状に形成された排出ホッパー５により、前記排出ホッパー５の下方に配置したポリタンク等（図示せず）に回収される。
【符号の説明】
【００１５】
１  機枠
２  開閉蓋
３  供給ホッパー
４  振動フルイ
５  排出ホッパー
６  仕切り
７  箱体
８  入口
９  円筒状容器
１０  タイヤ構造
１１  レール
１２  電動モータ
１３  偏心カム
１４  連結杆
１５  漏斗
【図１】
0003169491.tif 000003
【図２】
0003169491.tif 000004
【図３】
0003169491.tif 000005
【図４】
0003169491.tif 000006
【図５】
0003169491.tif 000007
【手続補正書】
【提出日】平成23年5月27日(2011.5.27)
【手続補正１】
【補正対象書類名】実用新案登録請求の範囲
【補正対象項目名】全文
【補正方法】変更
【補正の内容】
【実用新案登録請求の範囲】
【請求項１】
４本の脚を備えた矩形の機枠と、該機枠の上段に設置した開閉蓋を備えた角錐漏斗状の供給ホッパーと、該供給ホッパーの下方で前記機枠の中段に振動フルイを設け、さらに前記振動フルイの下方で前記機枠の下段に角錐漏斗状の排出ホッパーを設けたことを特徴とする半田回収機。
【請求項２】
前記振動フルイは、底部にメッシュを設けた円筒状容器の下部にタイヤ構造を設けてレールに沿って左右移動自在とし、前記機枠に電動モータを設け、該電動モータの回転を偏心カムを介して連結杆に伝えて、該連結杆を固定した前記円筒状容器を左右移動することでフルイを行うことを特徴とする請求項１記載の半田回収機。